(57)【要約】      （修正有）【課題】海の防波堤などで、釣り道具等の荷物を運ぶ既存のカートを利用して、釣竿を掛けておける荷物用カートを用いたロッドスタンドであって、既存の荷物用カートと、その高さを利用することで、ロッドの掛けやすい本格的なロッドスタンドを提供する。【解決手段】バー１に凹み３を最低でも左右の端の２箇所に同一の向きで形成し固定具２を付けた。【選択図】図１
2011041557.tif 000002
【特許請求の範囲】
【請求項１】
バー（１）に、凹み（３）を最低でも左右の端の２箇所に同一の向で形成し、固定具（２）を付けたことを特徴とする荷物用カートのロッドスタンド。
【発明の詳細な説明】
【技術分野】
【０００１】  この発明は、海の防波堤などで釣り道具等の荷物を運ぶ既存のカートを利用して、釣竿を掛けて置ける、荷物用カートのロッドスタンドに関するものである。
【背景技術】
【０００２】  従来から、釣竿を掛けておける本格的なロッドスタンドは、伸縮式のロッドスタンドが主に使用され足を伸ばして三脚として立てていた。また、簡易的に高さの低い位置で掛けるものは、折りたたみ式でクーラーボックスに貼り付けて使用するもの、または地面に置くものなどがあった。
他には釣用の荷物カートに、そのカート専用のロッド受けが付いたものもあるが、カートと共になるので、大変に高価である。
また、汎用性のある荷物用カートをロッドスタンドとして使用できる発明はない。
【発明の開示】
【発明が解決しようとする課題】
【０００３】  既存の荷物用カートを利用して、簡単な仕組みで、手軽に高さのある本格的なロッドスタンドとして使用できること。
そして、それは横のバーが付いている既存のカート全てで使用できること。
また魚の当たりがあった際に、釣竿をロッドスタンドから抜いて合わせをする、または竿尻を外し合わせをする必要がないこと。
さらに使用準備が簡単で、手早くセットできること。
そして使用していない時、または運搬時には携帯性が良いこと。
その他、安価で製作できること。
【課題を解決するための手段】
【０００４】  本発明は上記課題を解決する為のもので、
バー（１）に、凹み（３）を最低でも左右の端の２箇所に同一の向で形成し、固定具（２）を付けた。
【発明の効果】
【０００５】  既存の荷物用カートと、その高さを利用することで、ロッドの掛けやすい本格的なロッドスタンドとして使用できた。
それは伸縮式のロッドスタンドを、足を伸ばして三脚として立てるのと同様の高さであるので使い勝手がよい訳である。
さらに使用準備が簡単で、手早くセットできた。
また、それは横のバーが付いている既存のカート全てで使用できた。
そして使用していない時、または運搬時に荷物カートの縦のバーに付けておくだけなので、嵩張らず携帯性が良かった。
また魚の当たりがあった際に、釣竿を筒から抜く、または竿尻を外してから合わせるなどの必要はなく、合わせは瞬時に行えた。
しかも安価で製作できた。
【発明を実施するための最良の形態】
【０００６】  以下、本発明の構造について説明する。
構造を図１に示すように、バー（１）に、凹み（３）を最低でも左右の端の２箇所に同一の向で形成し、固定具（２）を付けた。【０００７】  そしてバー（１）は、中空のパイプ（５）として、材質は、ステンレス合金、真鍮、アルミ合金、鉄などの金属性とし、プレスなどで曲げ加工して成形したが、加工方法の指定はしない。
また中空のパイプの他、角パイプ、または金属性無垢材を使用しても良い。
他の材質、形状としては、合成樹脂のパイプ、または合成樹脂の無垢材などで、加工方法は、射出成形、ブロー成形または切削加工などで加工した。
他にも材質は、木材で製作し、塗料を重ね塗りして仕上げても良い。
このように様々な材質と形状で形成できるため、材質と形状は問わない。
そしてバー（１）に付ける固定具（２）は、巻き付けて固定するもの、または縛って固定するもの、そのほか螺子で固定した。
【実施例１】
【０００８】  バー（１）に凹み（３）を形成する寸法は、荷物用カートは最大のものでも幅、約４０センチであるので、その幅にかからない様にその外側の端の位置に形成した。
また凹み（３）の大きさは、磯竿４号を置いてその左右に余裕を持たせた大きさとすると、殆どの釣竿に対応できた。
構造を図２に示すように、固定具（２）は、巻いて固定するマジックテープ（７）として、それをビス（６）で螺子止めしたが、縫製などで固定しても良い。
その他、バー（１）の両端の先端に合成樹脂性のカバー（４）を付けると、角張った位置で怪我をし難くなり安全である。【０００９】  本発明は以上の構成からなり、以下作用について述べる。
固定具（２）については、マジックテープ（７）を例にあげ説明する。
本発明を使用するときは、荷物用カートに釣行の必需品であるクーラーボックス等の荷物を、そのままに置く。
そして図３に示すように、荷物用カートを手で引く部分の横のバー（８）に、本発明を合わせて固定具のマジックテープ（７）を巻き付け固定する。
そして凹み（３）にロッドを掛けて使用する。
このようにすると、既存の荷物用カートを利用できて、伸縮式のロッドスタンドを、足を伸ばして三脚として立てる高さと同様な高さを保持し、それによって使い勝手は、釣竿の掛けやすい本格的なロッドスタンドとして使用できた。
そして使用時には迅速にセットできるのも魅力である。
また魚の当たりがあった際に、釣竿を筒から抜く、または竿尻を外してから合わせるなどの必要はなく、合わせは瞬時に行えた。
他には、図４に示すように、使用していない時、または運搬時には、本発明を荷物用カートの縦のバー（９）に、マジックテープ（７）で付けておくだけなので、邪魔にならず携帯性が良かった。
【実施例２】
【００１０】  以下に実施例を述べる。
構造を図５に示すように、固定具（２）は、長さ調節のできるバンドを使用し、その両端にプラスチックの固定具のオス（１１）と、固定具のメス（１０）を付けた。
この実施例でも、横のバー（８）にバンドで巻き、そして固定具のオス（１１）を、固定具のメス（１０）に挿入し固定して使用することができた。
また使用していない時、または運搬時には、本発明を荷物用カートの縦のバー（９）に付けておけた。
この実施例の固定具（２）においても、マジックテープ（７）と同様な効果があった。
その他、バンドにオス、メスのスナップ等を端につけたものなどでも同様に使用できた。
【実施例３】
【００１１】  構造を図６に示すように、固定具（２）は、紐（１２）とした。
この場合でも、横のバー（８）に紐（１２）を巻いて結び固定できた。
また使用していない時、または携帯中は縦のバー（９）に結び付けて置けた。
この実施例の固定具（２）においても、マジックテープ（７）と同様な効果があった。
なを、固定具（２）を紐（１２）とした場合のメリットは安価で製作できることである。
【実施例４】
【００１２】  構造を図７に示すように、固定具（２）は、螺子式とした。
その一例を上げると、コの字型の形状とした螺子式固定具（１３）にナット部分（１４）を形成し、螺子（１５）を付けた。
これを使用するには、横のバー（８）にコの字型の部分を挿入し、螺子（１５）を締め込み固定した。
螺子の種類は蝶螺子またはユリア螺子を使用したところ、指の力だけで固定できた。
このように螺子式としても、荷物用カートの横のバー（８）に螺子固定できて使用できた。
また使用していない時、または運搬時には、荷物用カートの縦のバー（９）に螺子固定し取り付けておけた。
この実施例の固定具（２）においても、マジックテープ（７）と同様な効果があった。
【実施例５】
【００１３】  構造を図８に示すように、材質を金属の板材、または合成樹脂の板材、その他、木材の板材として、凹み（３）を、左右の端の２箇所だけでなく、追加の凹み（１６）を複数設けた。
このようにすると、本発明が横のバー（８）の上に乗せられて、釣竿を掛ける部分を増やせた。
【実施例６】
【００１４】  構造を図９に示すように、バー（１）は、中間部分（１７）と端凹み部（１８）とに分けて形成し合体させ組み付けた。
それは同一の材質のほかに、異なった材質、異なった形状、異なったサイズ、などで形成し合体させた。
例をあげると、中間部分（１７）を金属性のパイプ材として、そして端凹み部（１８）を金属性または合成樹脂性の無垢材とし、そのサイズを中空のパイプ材の内径の太さとしそこに挿入した。
また中間部分（１７）を合成樹脂性のパイプ材としても同様である。
さらに中間部分（１７）は、合成樹脂無垢材または木材でも、穴あけ加工をして組めた。
そのほか端凹み部（１８）は、サイズの異なった金属性または合成樹脂性のパイプ材でも良い。
以上のようにしても、同様の効果があった。
【図面の簡単な説明】
【００１５】
【図１】  本発明の斜視図
【図２】  本発明の実施例、固定具をマジックテープとし、バーの両先端にカバーを付けた斜視図
【図３】  本発明の実施例、使用状態を示す説明図
【図４】  本発明の実施例、荷物カートの縦のバーに収納した状態を示す説明図
【図５】  本発明の実施例、固定具をバンドの仕様とした斜視図
【図６】  本発明の実施例、固定具を紐とした斜視図
【図７】  本発明の実施例、固定具は、螺子式とした斜視図
【図８】  本発明の実施例、バーに追加の凹みを設けた斜視図
【図９】  本発明の実施例、バーを中間部分と端凹み部に分けて合体させた斜視図
【符号の説明】
【００１６】  １バー、２固定具、３凹み、４カバー、５パイプ、６ビス、７マジックテープ、８横のバー、９縦のバー、１０固定具のメス、１１固定具のオス、１２紐、１３螺子式固定具、１４ナット部分、１５螺子、１６追加の凹み、１７中間部分、１８端凹み部
【図１】
2011041557.tif 000003
【図２】
2011041557.tif 000004
【図３】
2011041557.tif 000005
【図４】
2011041557.tif 000006
【図５】
2011041557.tif 000007
【図６】
2011041557.tif 000008
【図７】
2011041557.tif 000009
【図８】
2011041557.tif 000010
【図９】
2011041557.tif 000011